(57)【要約】【課題】遊びの要素を備え、乳幼児が楽しく飲食することができる飲食施設を提供する。【解決手段】飲食領域内の床面上に配設され、少なくとも飲食用のテーブル１２及び座席１１が載置される回転フロア１３と、床面上で回転フロアを水平回転自在に支持する支持装置と、回転フロア１３を水平回転させる駆動装置とを設ける。遊園地のメリーゴーランドやコーヒーカップなどの回転遊戯施設に乗った気分で飲食することができ、乳幼児にとっては、遊園地で遊んでいる気分を味わいながらの飲食を楽しむことができる。【選択図】図２
2006037435.tif 000002
【特許請求の範囲】
【請求項１】
飲食領域内の床面上に配設され、少なくとも飲食用のテーブル及び座席が載置される回転フロアと、
前記床面上で前記回転フロアを水平回転自在に支持する支持手段と、
前記回転フロアを水平回転させる駆動手段とを設けて構成したことを特徴とする飲食施設。
【請求項２】
前記回転フロアは環状に設けられ、該環状内側に装飾体が配設されてなることを特徴とする請求項１記載の飲食施設。
【請求項３】
前記装飾体は水平回転可能に設けられ、該装飾体が第２の駆動手段によって水平回転されるように構成されてなることを特徴とする請求項２記載の飲食施設。
【請求項４】
前記第２の駆動手段は、前記装飾体を、前記回転フロアの回転方向とは逆方向に回転させるように構成されてなることを特徴とする請求項３記載の飲食施設。
【発明の詳細な説明】
【技術分野】
【０００１】
本発明は、飲食用のテーブルや座席が移動可能に設けられた飲食施設に関する。
【背景技術】
【０００２】
レストランに代表される飲食施設は、室内の床面上にテーブルや座席が固定的に設置され、通常、飲食中にこれらが移動することはない。したがって、飲食者は固定化された環境の中でしか飲食をすることができず、このような飲食施設では、飲食者にとって、もっぱら飲食することのみがその目的となる。
【０００３】
このため、食べたいものを食べ、飲みたいものを飲むという飲食本来の目的は達成されるものの、周りの風景などを楽しみながら食事をとるといった趣味的な面での充実感がなく、食事が、ある意味、味気ないものとなってしまう。
【０００４】
そこで従来、観覧車のゴンドラ内で飲食することができるように構成された立体式レストランが提案されている（特開平５−９８８２１号公報）。この立体式レストランでは、ゴンドラが移動することにより変化する景観を展望しながら食事をとることができる。
【０００５】
【特許文献１】特開平５−９８８２１号公報
【発明の開示】
【発明が解決しようとする課題】
【０００６】
ところで、これまでのレストランは、大人向けに造られたものが殆どであり、乳幼児向けに造られたものは皆無といっていいほどである。当然のことながら、乳幼児にとって、食事に対する興味は然程なく、むしろ、遊戯などの遊びに興味が向いている。レストランでひとしきり食事を終えると、じっとしていられず、大きな声で騒いだり、レストラン内を走り回ったりする幼児をしばしば見かけるところである。
【０００７】
上述した立体式レストランは、大人にとっては、眺望のきく場所でゆったりとした食事を楽しむことができるが、乳幼児にとっては、眺望に一応興味が引かれるものの、遊びの要素がなく、短時間の内に興味が失せてしまい、通常のレストランと代わりのないものに感じられてしまう。
【０００８】
本発明は以上の実情に鑑みなされたものであって、遊びの要素を備え、乳幼児が楽しく飲食することのできる飲食施設の提供をその目的とする。
【課題を解決するための手段】
【０００９】
上記課題を解決するための本発明は、飲食領域内の床面上に配設され、少なくとも飲食用のテーブル及び座席が載置される回転フロアと、前記床面上で前記回転フロアを水平回転自在に支持する支持手段と、前記回転フロアを水平回転させる駆動手段とを設けて構成した飲食施設に係る。
【００１０】
この飲食施設では、飲食者は、回転フロア上の座席に着座した状態で飲食をとる。回転フロアは駆動手段により水平回転されており、飲食者は、回転フロア上でこれと共に水平回転しながら飲食することになる。
【００１１】
斯くして、本発明に係る飲食施設によれば、自身水平回転することによって周りの景色が変化するという、あたかも、遊園地のメリーゴーランドやコーヒーカップなどの回転遊戯施設に乗った気分で飲食することができ、乳幼児にとっては、遊園地で遊んでいる気分を味わいながら飲食を楽しむことができる。
【００１２】
尚、前記回転フロアは、これが環状に設けられていても良く、更に、この環状内に装飾体を配設した構成としても良い。また、前記装飾体は、水平回転可能に設けられ、当該装飾体が第２の駆動手段によって水平回転されるように構成されていても良く、更に、この第２の駆動手段は、装飾体を、前記回転フロアの回転方向とは逆方向に回転させるように構成されていても良い。
【発明の効果】
【００１３】
以上述べたように、本発明によれば、遊園地のメリーゴーランドやコーヒーカップなどの回転遊戯施設に乗った状態で飲食することができ、乳幼児にとっては、遊園地で遊んでいる気分を味わいながらの飲食を楽しむことができる。
【発明を実施するための最良の形態】
【００１４】
以下、本発明の具体的な実施の態様について、添付図面に基づき説明する。尚、図１は、本実施形態に係る飲食施設を備えたレストラン全体の概略構成を示した平面図であり、図２は、本実施形態に係る回転飲食施設を示した斜視図であり、図３は、図２における矢視Ａ−Ａ方向の断面図である。また、本例のレストランは主として乳幼児（以下、「子供たち」と総称する）に向けられており、当該子供たちが飲食者の主体とする。
【００１５】
図１に示すように、本例のレストラン１は、床面５上に配設される飲食物提供用のカウンタ２、回転飲食施設１０及び椅子３，４から構成される。
【００１６】
前記カウンタ２は、飲食者が所望の飲食物を受け取るところで、飲食者は、予め用意された飲食物の中から所謂セルフサービスにより自らの手で所望の物を取り出したり、注文に応じて提供された飲食物を受け取る。
【００１７】
また、椅子３，４は、長椅子状に形成され、前記回転飲食施設１０の周りに配設される。飲食者が乳幼児の場合、その保護者がこの椅子３，４に着座して、回転飲食施設１０上で飲食をとっている乳幼児を監視する。
【００１８】
前記回転飲食施設１０は、環状の回転フロア１３と、この回転フロア１３の上面及び外周面をカバーするカバー体４０と、カバー体４０上に配設される複数組のテーブル１２及び椅子１１と、回転フロア１３を水平回転自在に支持する第１及び第２の水平支持機構２４，２７並びに第１の外周支持機構３０と、回転フロア１３を水平回転させる回転駆動機構２１と、回転フロア１３の環状内側に配設された回転板１８と、回転板１８を水平回転自在に支持する第３の水平支持機構３４及び第２の外周支持機構３８と、回転板１８を水平回転させる駆動モータ３９と、前記第２水平支持機構２７、第１外周支持機構３０、第３水平支持機構３４、第２外周支持機構３８及び駆動モータ３９を支持する基台１７と、回転板１８上に載置される装飾体（本例では植木）５０などから構成される。
【００１９】
前記基台１７は、円筒形をした中空状の部材から構成され、その上面に前記第２水平支持機構２７及び第３水平支持機構３４が固設され、外周面に前記第１外周支持機構３０及び第２外周支持機構３８が固設され、中空内部に前記駆動モータ３９が固設されている。
【００２０】
前記第１水平支持機構２４は、回転フロア１３の外周寄りの下面に当接する支持ローラ２２と、前記床面５上に固設され、前記支持ローラ２２を回転自在に支持するブラケット２３とからなり、この第１水平支持機構２４の複数個が、回転フロア１３の周方向に等間隔に配設される。同様に、前記第２水平支持機構２７は、前記回転フロア１３の内周寄りの下面に当接する支持ローラ２５と、前記基台１７上に固設され、前記支持ローラ２５を回転自在に支持するブラケット２６とからなり、この第２水平支持機構２７の複数個が、回転フロア１３の周方向に等間隔に配設される。
【００２１】
また、前記第１外周支持機構３０は、回転フロア１３の下面にこれから垂下するように固設された管体１６の内周面に当接して、当該回転フロア１３の水平方向の移動を規制する支持ローラ２８と、前記基台１７の外周面に固設されて、前記支持ローラ２８を回転自在に支持するブラケット２６とからなり、この第１外周支持機構３０の複数個が基台１７の周方向に等間隔に配設される。
【００２２】
斯くして、回転フロア１３は、第１外周支持機構３０によって水平方向の移動が規制された状態で、当該第１外周支持機構３０並びに前記第１水平支持機構２４及び第２水平支持機構２７により水平回転自在に支持される。
【００２３】
前記回転駆動機構２１は、外周面に弾力性を有し、当該外周面が回転フロア１３の外周寄りの下面に圧接する駆動ローラ１９と、この駆動ローラ１９を回転駆動する駆動モータ２０とからなり、回転フロア１３の下面に圧接する駆動ローラ１９の回転によって当該回転フロア１３を矢示Ｂ方向に水平回転させる。
【００２４】
前記第３水平支持機構３４は、回転板１８の外周寄りの下面に当接する支持ローラ３２と、前記基台１７の上面に固設され、前記支持ローラ３２を回転自在に支持するブラケット３３とからなり、この第３水平支持機構３４の複数個が、回転板１８の周方向に等間隔に配設される。また、第２外周支持機構３８は、回転板１７の下面にこれから垂下するように固設された管体３１の内周面に当接して、当該回転板１７の水平方向の移動を規制する支持ローラ３６と、ブラケット３５を介し前記基台１７の上面に固設されて、前記支持ローラ３６を回転自在に支持するブラケット３７とからなり、この第２外周支持機構３８の複数個が基台１７上面の周方向に等間隔に配設される。
【００２５】
斯くして、回転体１８は、第２外周支持機構３８により水平方向の移動が規制された状態で、当該第２外周支持機構３８及び前記第３水平支持機構３４により水平回転自在に支持される。
【００２６】
また、前記駆動モータ３９は、その出力軸が基台１７の上側の水平部材を貫通した状態で当該水平部材の下面に固設されるとともに、前記出力軸が前記回転板１８の下面に固設されており、当該出力軸の回転により前記回転板１８を、前記回転フロア１３の回転方向とは逆方向の矢示Ｃ方向に水平回転させる。
【００２７】
また、前記カバー体４０は、ウレタンスポンジをビニールシートで被覆した構造を有し、子供たちが回転フロア１３上で転んでも怪我をしないように保護する。
【００２８】
以上のように構成された本例のレストラン１では、まず、子供たちが、カウンタ２で所望の飲食物を受け取り、ついで、矢示Ｂ方向に水平回転する回転フロア１３上に乗りあがり、手にした飲食物をテーブル１２上に置くと共に、椅子１１上に着座して、回転フロア１３と共に水平回転しながら飲食をとる。
【００２９】
斯くして、本例のレストラン１によれば、自身水平回転することによって周りの景色が変化するという、あたかも、遊園地のメリーゴーランドやコーヒーカップなどの回転遊戯施設に乗った状態で飲食することができ、子供たちにとっては、遊園地で遊んでいるかのごとき気分を味わいながらの飲食を楽しむことができ、この上ない楽しい気分を味わうことができる。
【００３０】
また、回転フロア１３の環状中央部には、回転板１８上に載置された装飾体５０が位置しており、これが回転フロア１３とは逆方向に回転している。したがって、回転フロア１３上で飲食をとる子供たちは、この装飾体５０を視認することによって、自身回転していることを実感することができると共に、装飾体５０が自身の回転方向と逆方向に回転していることから、実際の自身の回転速度よりも速い速度で回転していると錯覚し、よりスリル感の増した飲食を味わうことができる。
【００３１】
尚、回転フロア１３の回転速度は、子供でも自力で乗り移ることができる程度の低速であることが好ましいが、乗り移りを保護者が補助する場合には、これより若干速い速度であっても良い。
【００３２】
以上、本発明の一実施形態について説明したが、本発明の採り得る具体的な態様は、何らこれに限定されるものではない。
【００３３】
例えば、回転フロア１３上に載置，固定される前記テーブル１２や椅子１１は、上例のようにこれらをそのままの状態で回転フロア１３上に載置，固定しても良いが、図４に示すように、例えば、乗物を模った構造物としての船体７０内にテーブル７１を配置するとともに、当該船体７０内に座席部７３を設置した態様とすることができる。このようにすれば、動く乗物に乗った雰囲気で飲食をとることができ、より遊び気分が増したものとなる。
【００３４】
尚、前記乗物を模った構造物としては、この他に、自動車や列車などを模ったものでも良く、更に、乗物でなくても、例えば、遊園施設のコーヒーカップと同様に、コーヒーカップを模った構造物の中にテーブルや座席を設置したものであっても良い。また、これらこれら構造物を着脱自在に回転フロア１３上に設置し得る構造とし、時々に応じて、設置対象を変更するようにしても良い。一つのものを長時間使用すると飽きてしまうが、時々に応じて変更するようにすると、飽きがこず、新鮮さを保つことができる。
【００３５】
また、装飾体５０も、上例の植木に限らず、噴水の周りに樹木を配置したものなど各種のものを採用することができる。
【産業上の利用可能性】
【００３６】
以上のように、本発明は、主として乳幼児に向けた飲食施設として好適である。
【図面の簡単な説明】
【００３７】
【図１】本発明の実施形態に係るレストラン全体の概略構成を示した平面図である。
【図２】本実施形態に係る回転飲食施設を示した斜視図である。
【図３】図２における矢視Ａ−Ａ方向の断面図である。
【図４】本発明の他の形態に係る回転飲食施設を示した斜視図である。
【符号の説明】
【００３８】
１０  回転飲食施設
１１  椅子
１２  テーブル
１３  回転フロア
１８  回転板
２１  回転駆動機構
２４  第１の水平支持機構
２７  第２の水平支持機構
３０  第１の外周支持機構
３４  第３の水平支持機構
３８  第２の外周支持機構
３９  駆動モータ
５０  装飾体
【図１】
2006037435.tif 000003
【図２】
2006037435.tif 000004
【図３】
2006037435.tif 000005
【図４】
2006037435.tif 000006